(57)【特許請求の範囲】
【請求項１】
真空密に封じられ、壁部を有するランプ容器と、
このランプ容器内に配置された電気素子と、
基板上に設けられている金属層と
を有する電球において、
前記金属層の前記基板が、前記ランプ容器の前記壁部より成り、前記金属層には、光の反射を防止する手段が前記金属層の前記電気素子に面する側に設けられ、
光吸収層が、前記金属層の前記電気素子に面する側に設けられている、
ことを特徴とする電球。
【請求項２】
請求の範囲１に記載の電球において、前記ランプ容器には口金が設けられている、ことを特徴とする電球。
【請求項３】
請求の範囲１または２に記載された電球を備えていることを特徴とする乗物用ヘッドランプ。
【発明の詳細な説明】
本発明は、真空密に封じられ、壁部を有するランプ容器と、このランプ容器内に配置された電気素子と、基板上に設けられている金属層とを有する電球に関するものである。
このような電球はドイツ国特許公開第3040812号明細書から既知である。
この既知の電球は、乗物のヘッドランプとして用いるために設計されていて、この目的のために光放出窓を有する反射器内に収納されている。この電球の一部の上には、光を透過しない不透明遮蔽体が配置され、電球の点灯中に、電気素子から発生する光が直接反射器の光放出窓を通って出射することを防止している。この遮蔽体は中空円筒体によって部分的に囲まれている。金属層は、ランプ容器をも部分的に囲んでいる中空円筒体の壁部上に存在する。金属層の有利な特性の中には、スイッチを切った状態で電球を無色状態にするという特性がある。
この別体の不透明遮蔽体と、別体の中空円筒体と、この中空円筒体上に設けられている金属層には、これらが電気素子で発生される光を不所望に反射させるという欠点がある。この結果として、光の比較的に多くの部分が、ランプの点灯中、不都合な角度で光放出窓を通って外部へ放出され、他の道路使用者に対するグレアの深刻な危険性を伴う。
他の欠点は、電球が、多くの別々の構成要素のために組立てるのが困難である、比較的重い複雑な構造を有するということである。
本発明の目的は、構造が簡単で上記の欠点を少なくとも大部分回避した、頭書で述べた種類の電球を提供することにある。
本発明によれば、金属層の基板がランプ容器の壁部によって形成され、金属層には、光の反射を防止する手段が金属層の電気素子に面する側に設けられているようにすることにより、前記の目的を達成する。
本発明による電球は、極めて容易で簡単な方法で製造することができる。金属層は反射性且つ不透明であるので、本発明による電球には、もはや別体の遮蔽体及び中空円筒体が必要でないという利点がある。個々の構成要素に対する不所望な反射はもはや生じるおそれがないので、これらの反射の結果として不都合な角度で光放出窓から放出される光と、これに伴う、例えば他の道路使用者側に対する、グレアの危険性とが防止される。
電気素子に面する金属層の側での光の反射を防止するために、例えばエッチングあるいはサンドブラスチングのような通常の技術によってつや消しされた、例えば不透明にされた非反射面を壁部又は金属層に局部的に設ける。非反射面がつや消しされているので、光はこの領域で散乱される。金属層に対する不都合な光の反射は生じない。光放出窓に面する金属層の側の反射特性は、電球を反射器内に配置した場合にこの電球を無色状態にするという利点を生じるため、ランプ容器は光放出窓を通して殆ど見えなくなる。これは特に消費者によって利点として理解される。なぜならば、ランプ容器が反射器の反射面に写るという可視的な妨害があると、反射器が部分的に破損あるいは破壊されているという印象を消費者に与えるからである。
好適な例では、光吸収層、例えば黒色層を電気素子に面する金属層の側に設けることにより、電気素子に面する金属層の側を非反射性とする。これにより、グレアが生じるおそれが更に減少される。なぜならば、光はもはや散乱されず、金属層に対して反射しうる前に、光吸収層によって吸収されるからである。光吸収層が光放出窓に面する側において金属層に被覆されているという事実は、ランプ容器が、反射器の光放出窓を通して無色の状態となり、殆ど見えないという利点を電球が有していることを意味する。
電球を光学系、例えば反射器内に使用する場合に重要なことは、ランプ容器が、光学系内に正確に配置され且つ固定されなければならないことである。光学系内でのランプ容器の位置決め及び固定は比較的困難である。ランプ容器に口金が設けられている場合、ランプ容器の位置決め及び固定はこの口金によって達成できる。口金が光学系と共働するので、その結果として光学系内で所定の位置を占めることになる。このような口金を設けるランプ容器は、光学系の外部のランプ容器に対して比較的容易に位置決め且つ固定でき、口金と光学系とが共働しているために、このランプ容器は、光学系内で正確に規定された位置を占めることになる。
本発明による電球は乗物のヘッドランプとして用いられるのが好ましい。光放出窓から不都合に放出される光による他の道路使用者のまぶしさが防止されるので、道路交通での危険な状況が生じるおそれが減少される。
ランプ容器を、硬質ガラスあるいは石英ガラス、例えば、95重量％よりも多くＳiＯ2を含有するガラスで造ることができる。
層は通常の技術、例えば、吹付け法あるいは懸濁液技術によって設けることができる。金属層は、例えば、Ａg、Ａl、Ａu、Ｃr、Ｃu、Ｎi、Ｐd、Ｐt及びＲhの元素のうち１つあるいはそれらの混合物より成る、例えば銀白色金属層とする。（黒色）光吸収層は例えば顔料を含有する塗料であり、この塗料は、例えば、Ｆe、Ｍn、Ｔiあるいはシリコンの遷移金属酸化物の混合物を黒色顔料として含有するエチルシリケート塗料である。
電流貫通接続端子は、１つの壁部領域内に、あるいは互いに離間した領域、例えば相互に対向して位置する領域内に互いに接近させて埋込むことができる。
電気素子は白熱体とすることができ、この場合にはハロゲンを有する充填剤、例えばＣＨ2Ｂr2を有する希ガスをランプ容器に入れるのが好ましい。電気素子を一対の電極とすることもでき、この場合にはイオン化可能な充填剤、例えば、希ガスと、水銀と、金属ハロゲン化物の混合物とをランプ容器に入れる。
電気素子を、ドープされないあるいはドープされたタングステンで（部分的に）造ることができる。ドープされたタングステンの場合では、結晶成長を調整する手段をわずかに、例えばＫ、Ａl及びＳiを一緒に0.01重量％だけ添加し、タングステンの粒度を制御するようにすることができる。
本発明による電球の実施例を図面に側断面図で示す。
図中、電球は、気密に閉じられたランプ容器１を有し、このランプ容器１は石英ガラス壁２を有し、このランプ容器１の内部には、２つに分離した、メインビームのための白熱体３a及びパッシングビームのための白熱体３bを有する電気素子３が設けられている。パッシングビームのための白熱体３bは金属遮蔽体14によって部分的に遮られている。電気素子３は、内部電流導体４を介して電流貫通接続端子５に接続されていて、電流貫通接続端子５は、本例では、0.5重量％のＹ2Ｏ3を有するＭｏから成る金属箔であり、内部電流導体４は本例では、Ｍｏから成る。電流貫通接続端子５はランプ容器１の壁部２内に相互に隣合って埋込まれている。
ランプ容器１の壁部２の上には第１の黒色層６が設けられ、この第１の黒色層６は、その中に、磁鉄鉱（Ｆe3Ｏ4）と、二酸化マンガン（ＭnＯ2）と、カーボニル鉄（純Ｆe）と、二酸化チタン（ＴiＯ2）との混合物を黒色顔料として有するエチルシリケート塗料から成る。この第１の黒色層６上にはアルミニウムから成る第２の銀白色金属層７が設けられている。
ランプ容器１は、例えば室温で500ｋPa（５bar）の圧力としたＫrとＣＨ2Ｂr2との充填剤を有し、12Ｖの定格電圧で点灯された場合には、55Ｗの電力を消費する。
ランプ容器１は放物面反射器８内に収納されている。電気素子３によって発生される光は、反射層９によって反射された後、光放出窓10を通って外部へ放出される。
ランプ容器１は口金11内に固定されている。外部の電流導体は口金11の接点金具にそれぞれ接続されている。これら接点金具のうちの２つ12、13が図中で見えている。本実施例による電球は、乗物のヘッドランプとして使用するのに極めて適している。
0004275196.tif 000002